(57)【要約】【課題】梁高さを低くできるように補強金具の外径を小さくすることができ、あばら筋とスリーブとの相対位置が最適となるようにあばら筋の位置を調整することができ、あばら筋と一体となって充分な補強効果を発揮できるような鉄筋コンクリート有孔梁の補強金具を提供する。【解決手段】鉄筋コンクリート用棒鋼を曲げて形成した枠状体３ａと、棒体２ａの略中央部から当接杆２ｂ、２ｃ、２ｄを下方に突出させてスリーブＢの上面に当接可能に形成し前記枠状体３ａの上方部に取付可能な上部押え手段２と、棒体３ａの略中央部から支承杆３ｃを上方に突出させて該支承杆３ｃにより前記スリーブＢの下面を支承可能に形成し前記枠状体３ａの下方部に係着した下部支承手段３ｂとからなる補強金具とした。【選択図】図１
2009052325.tif 000002
【特許請求の範囲】
【請求項１】
棒体を曲げて枠状とし該枠状内をスリーブが挿通可能に形成した枠状体と、棒体の略中央部から当接杆を下方に突出させて該当接杆により前記スリーブの上面に当接可能に形成し前記枠状体の上方部に取付可能な上部押え手段と、棒体の略中央部から支承杆を上方に突出させて該支承杆により前記スリーブの下面を支承可能に形成し前記枠状体の下方部に係着した下部支承手段とからなる鉄筋コンクリート有孔梁の補強金具。
【請求項２】
前記上部押え手段又は前記下部支承手段の棒体の両端部を後方に屈曲して前記スリーブの左右に配置されているあばら筋に係合可能な係合部に形成した請求項１に記載の鉄筋コンクリート有孔梁の補強金具。
【請求項３】
前記当接杆は複数本からなって斜下方に放射状に突出している請求項１又は請求項２に記載の鉄筋コンクリート有孔梁の補強金具。
【請求項４】
前記支承杆は複数本からなって斜上方に放射状に突出している請求項１又は請求項２に記載の鉄筋コンクリート有孔梁の補強金具。
【請求項５】
前記枠状体を方形に形成してその一の角部において前記棒体の両端部をそれぞれ外方にＵ字状に折り返してＵ字状部に形成し、これらＵ字状部を前記角部において互いに当接させた請求項１に記載の鉄筋コンクリート有孔梁の補強金具。
【発明の詳細な説明】
【技術分野】
【０００１】
本発明は鉄筋コンクリート有孔梁の配筋において、梁の孔部の補強に用いられる補強金具に関する。
【背景技術】
【０００２】
鉄筋コンクリート製の梁は一般にあばら筋と言われる鉄筋で補強されているが、梁に貫通孔を有する有孔梁においては、該孔部の周りを補強するための補強金具を配置して、孔部の周りのコンクリートのせん断ひび割れを防止するようにしている。
【０００３】
従来の鉄筋コンクリート有孔梁の補強金具の使用例を図４及び図５に示した。
【０００４】
即ち、補強金具Ａは鉄筋コンクリート用棒鋼等からなる内外多重の環状体ａと、該環状体ａの下方部から中心部へ向かって突設された２本の連結杆ｂ、ｂとからなり、コンクリート打設用のコンクリート型枠ｃ内に、梁のあばら筋ｄに結着して設置されている。
【０００５】
梁内に孔を形成するための円筒状のスリーブＢは前記環状体ａを挿通すると共に前記連結杆ｂ、ｂの先端部にて支承されている。
【０００６】
尚、梁のあばら筋ｄは、一般にスリーブＢの両端部近くの左右両側部に、該スリーブＢから所定の間隔を有して配設されている。
【０００７】
このような鉄筋コンクリート有孔梁の補強金具の例として、複数の環状体を共通１本の棒体により形成してこれら環状体をその内外の移行部で交差し、最も外側の環状体に相応する個所の前記棒体の両端末部を内方に折り曲げて最も外側の環状体の次の内側の環状体に溶接させた例が知られている（例えば特許文献１。）。
【０００８】
【特許文献１】特許第３５５６５０６号公報
【発明の開示】
【発明が解決しようとする課題】
【０００９】
高層ビルにおいては梁の高さを低く抑えたいとの要望が強いが、前記特許文献１に記載の鉄筋コンクリート有孔梁の補強金具の如く多重リングの環状体からなるものは、補強金具の外径が大きいので梁の高さを低くできないという問題があった。
【００１０】
又、鉄筋コンクリート有孔梁の補強金具は開口部のスリーブの両側にあるあばら筋と組合わせて補強効果を発揮するが、これらあばら筋の縦筋はスリーブより約５０ミリメートル離れた位置に配筋されるのが好ましい。しかし、現実には前記あばら筋の配置が不揃いであるため、補強金具との結着に不具合を生ずることがあるという問題があった。
【００１１】
また、従来の補強金具はスリーブの保持固定力が弱く、このためスリーブが回動することがあるという問題があった。
【００１２】
更にまた、従来の補強金具は、あばら筋の配筋されていないスリーブ中間部においてはスリーブへの取付け固定がむずかしいという問題があった。
【００１３】
本発明はこれらの問題点を解消し、補強金具の外径を小さくして梁の高さを低くできると共にスリーブの両側にあるあばら筋の間隔が所定値となるように強制的に配筋することができ、更にスリーブの固定やスリーブの中間部への取付けも容易に行なえるような鉄筋コンクリート有孔梁の補強金具を提供することを目的とする。
【課題を解決するための手段】
【００１４】
本発明は上記の目的を達成すべく、棒体を曲げて枠状とし該枠状内をスリーブが挿通可能に形成した枠状体と、棒体の略中央部から当接杆を下方に突出させて該当接杆により前記スリーブの上面に当接可能に形成し前記枠状体の上方部に取付可能な上部押え手段と、棒体の略中央部から支承杆を上方に突出させて該支承杆により前記スリーブの下面を支承可能に形成し前記枠状体の下方部に係着した下部支承手段とからなる。
【発明の効果】
【００１５】
本発明によれば、鉄筋コンクリート有孔梁の高さを低くでき、又スリーブの両側にあるあばら筋の間隔が所定値となるように強制することができ、更にスリーブの固定やスリーブの中間部への取付けも容易に行なえると共に種々の外径のスリーブにも適用でき、又コンクリートへの定着性が良くなるような鉄筋コンクリート有孔梁の補強金具を提供できる効果を有する。
【発明を実施するための最良の形態】
【００１６】
本発明を実施するための最良の形態の実施例を次に示す。
【実施例１】
【００１７】
本発明の鉄筋コンクリート有孔梁の補強金具の実施例を図面により説明する。
【００１８】
図１は本発明の補強金具１の使用状態を示す正面図であり、Ｂは孔形成用のスリーブで、該スリーブＢは塩ビ管又は紙製の筒状体等からなる。
【００１９】
又、ｄは当該梁の骨格となるあばら筋の縦筋部分であり、スリーブＢの両側部に所定の間隔（約５０ｍｍ）を有して配設されている。
【００２０】
前記補強金具１は、スリーブＢを上方から押える上部押え手段２と、スリーブＢを挿通させて該スリーブＢを下方から支持する本体金具３とからなる。
【００２１】
上部押え手段の平面図を図２に示した。
【００２２】
上部押え手段即ち上部押え金具２は鉄筋コンクリート用棒鋼等の鉄棒からなり、１本の鉄棒の両端部を約９０度の角度で後方に屈曲させて両端にあばら筋への係合部２ａ１、２ａ１を有する［状の棒体２ａを形成し、該棒体２ａの中央部に３本の当接杆２ｂ、２ｃ、２ｄを互いにＶ状となるような放射状に下方へ向けて突出させて、これらを溶接で固定してある。
【００２３】
そして、上部押え金具２でスリーブＢを上方から押えた時に中央の当接杆２ｂがスリーブＢの中心線上で該スリーブＢの上面に当接するように設定されており、又、左右の当接杆２ｃ、２ｄはスリーブＢの中心線を挟んで左右から該スリーブＢの上側面に当接するように設定されている。
【００２４】
次に本体金具３の構造について説明する。
【００２５】
図３は本体金具３の斜視図であり、本体金具３は四角形の枠状体３ａとその下方部に係着即ち溶接されている下部支承手段即ち下部支承金具３ｂとからなる。
【００２６】
前記枠状体３ａは鉄筋コンクリート用棒鋼等の鉄棒からなり、１本の鉄棒を四角形に曲げてスリーブＢが挿通可能な大きさの一重の枠状部３ａ１を形成すると共に該鉄棒の両端部が会合する角部において各端部をそれぞれ外方にＵ字状に折り返してＵ字状部３ａ２、３ａ２を形成し、これらＵ字状部３ａ２、３ａ２を前記角部で互いに当接させ、頑丈な枠状体３ａを形成している。
【００２７】
又、前記下部支承金具３ｂも鉄筋コンクリート用棒鋼等の鉄棒からなり、１本の鉄棒の両端部を約９０度の角度で後方に屈曲させて両端にあばら筋ｄへの係合部３ｂ１、３ｂ１を有する［状の棒体３ｂを形成し、該棒体３ｂの中央部からＶ状の支承杆３ｃを上方に突出させて、これを溶接で固定して下部支承金具３ｂを形成している。
【００２８】
ここで、前記枠状体３ａは、その各辺が斜め方向となる菱形の如く配置されていて前記Ｕ字状部３ａ２が該菱形の側方に突出するように形成され、枠状体３ａの下方に位置する斜め方向の２辺の下半部に前記下部支持金具３ｂを重ねて溶接固定し本体金具３が一体となるように形成されている。
【００２９】
次に本実施例の補強金具１の使用方法及びその効果について、図１により説明する。
【００３０】
鉄筋コンクリート有孔梁の配筋において、当該孔位置が決まれば、その孔の位置に合わせてあばら筋ｄ及び補強金具１が配置される。
【００３１】
即ち、孔を形成するためのスリーブＢが本体金具３を挿通すると共に該本体金具３が有するＶ状の支承杆３ｃで該スリーブＢを支承するようにして、本体金具３とあばら筋ｄとを針金で結束する。
【００３２】
このとき本体金具が具備する棒体３ｂの両端にはあばら筋ｄへの係合部３ｂ１、３ｂ１があるので、作業者は前記係合部３ｂ１、３ｂ１と係合するようにあばら筋ｄの位置を調整するようになる。
【００３３】
これによりあばら筋ｄとスリーブＢの相対位置も最適となる。
【００３４】
次に上部押え金具２を前記スリーブＢの上部に設置する。
【００３５】
即ち、上部押え金具２が具備する３本の当接杆２ｂ、２ｃ、２ｄの先端部をスリーブＢの上面部に当接させると共に該上部押え金具２の両端にある係合部２ａ１、２ａ１を前記スリーブＢの両側方にあるあばら筋ｄ、ｄに各係合させて針金で結束する。
【００３６】
又、該上部押え金具２と前記本体金具３とを針金で結束して一体とする。
【００３７】
かくして補強金具１はあばら筋ｄに結着され、あばら筋と協働で大きな補強効果を発揮する。
【００３８】
又、補強金具１の枠状体３ａの角部に１対のＵ字状部３ａ２、３ａ２を突設したので、これらＵ字状部３ａ２、３ａ２により該補強金具１のコンクリートへの定着性が良くなる効果が得られた。
【００３９】
尚、補強金具１をあばら筋の無い梁の中間部において用いることも可能で、その際はスリーブＢを上下から上部押え金具２と本体金具３の下部支持金具３ｂとで挟んで両者を針金で結束すればよい。
【００４０】
又、本実施例では、Ｕ字状部３ａ２、３ａ２を角部で互に当接しているが、これらＵ字状部３ａ２、３ａ２を角部で互に溶接してもよい。
【００４１】
更に又、本実施例では本体金具３を形成する枠状体３ａを四角形としたが、これは四角形以外の多角形としてもよく、又は円形や楕円形の枠状体としてもよく、又角部においてＵ字状部を形成せず鉄棒の両端部を溶接してもよい。
【００４２】
又、本実施例ではスリーブＢの上面に当接する当接杆の数を３本としたが、これは３本以外の当接杆を用いるようにしてもよく、更に又、スリーブＢを支承する下部支持金具３ｂに設けた支承杆３ｃをＶ状としたが、これも斜上方に放射状に突出する２本以上の支承杆を用いてもよく、又は放射状以外の例えば｜｜状又はハ状に上方へ突出する支承杆としてもよい。
【産業上の利用可能性】
【００４３】
本発明は鉄筋コンクリート建造物の配筋において、梁に貫通孔を有する鉄筋コンクリート有孔梁の孔周りの補強金具に用いられる。
【図面の簡単な説明】
【００４４】
【図１】本発明の補強金具の使用状態の正面図である。
【図２】前記補強金具の一部、上部押え金具の平面図である。
【図３】前記補強金具の一部、本体金具の斜視図である。
【図４】従来の補強金具の使用状態の正面図である。
【図５】同上従来の補強金具の使用状態の側面図である。
【符号の説明】
【００４５】
１                補強金具
２                上部押え手段（上部押え金具）
２ａ１、３ｂ１    あばら筋に係合可能な係合部
２ｂ、２ｃ、２ｄ  当接杆
３ａ              枠状体
３ａ２            Ｕ字状部
３ｂ              下部支承手段（下部支承金具）
３ｃ              支承杆
Ｂ                スリーブ
ｄ                あばら筋
【図１】
2009052325.tif 000003
【図２】
2009052325.tif 000004
【図３】
2009052325.tif 000005
【図４】
2009052325.tif 000006
【図５】
2009052325.tif 000007